【手続補正書】
【提出日】平成16年12月22日(2004.12.22)
【手続補正１】
【補正対象書類名】明細書
【補正対象項目名】全文
【補正方法】変更
【補正の内容】
【書類名】明細書
【発明の名称】体液吸収性物品
【特許請求の範囲】
【請求項１】体液を吸収保持する体液吸収性物品であって、
高吸収性ポリマーを含みかつ体液を吸収保持すると難透液性または不透液性となる難拡散吸収体を設けた、
ことを特徴とする体液吸収性物品。
【請求項２】身体の肌に面する側に設けられた透液性表面層、身体の肌から遠ざかる側に設けられた防漏層、およびこれらの間に設けられた体液吸収保持層を備えた、体液吸収性物品であって、
前記吸収保持層内の所定部位に、高吸収性ポリマーを含みかつ体液を吸収保持すると難透液性または不透液性となる難拡散吸収体を設けた、
ことを特徴とする体液吸収性物品。
【請求項３】前記難拡散吸収体が防漏層に対して液密に接合されている、請求項２記載の体液吸収性物品。
【請求項４】前記難拡散吸収体と、体液を吸収しても前記難拡散吸収体よりも優れた透液性を示す可拡散吸収体との両者が設けられている、請求項１〜３のいずれか１項に記載の体液吸収性物品。
【請求項５】前記難拡散吸収体は、少なくとも一部が体液透過性とされた細長形状の密閉袋体と、その内部に封入された高吸収性ポリマーとからなる細長形状のものとされた、請求項１〜４のいずれか１項に記載の体液吸収性物品。
【請求項６】前記難拡散吸収体が、物品長手方向に沿い且つ物品幅方向に間隔を置いて少なくとも２条設けられている、請求項１〜５のいずれか１項に記載の体液吸収性物品。
【請求項７】前記難拡散吸収体が、物品の長手方向両端部の少なくとも一方に、物品幅方向に沿って設けられている、請求項６記載の体液吸収性物品。
【請求項８】前記袋体は長手方向に複数の隔室に区画されており、各隔室内に前記高吸収性ポリマーが封入されており、前記隔室相互の区画部分は前記高吸収性ポリマーの膨潤に伴って解除され、隣接隔室相互が一体となるように構成されている、請求項１〜７のいずれか１項に記載の体液吸収性物品。
【請求項９】袋体の容積をＶとし、その内部に封入される高吸収性ポリマーの重量をＷとし、高吸収性ポリマーの生理食塩水飽和吸収時の密度をｋ＝１とし、高吸収性ポリマーの生理食塩水飽和吸収時の膨潤倍率をＢとしたとき、前記難拡散吸収体が下記式（１）で定まる重量Ｗの８０〜１２０％の重さの高吸収性ポリマーを含むように構成されている、請求項５〜８のいずれか１項に記載の体液吸収性物品。
Ｗ＝ｋ×Ｖ／Ｂ      ・・・（１）
【発明の詳細な説明】
【０００１】
【発明の属する技術分野】
本発明は、体液を吸収処理する、使い捨ての紙おむつ、生理用ナプキンなどの体液吸収性物品に関する。
【０００２】
【従来の技術】
この種の体液吸収性物品は、基本的に、身体の肌に面する側に設けられた液透過性の表面層、身体の肌から遠ざかる側に設けられた防漏層、および両者の間に設けられた体液吸収性部を有する。
【０００３】
この場合における、体液吸収性部の構成は、種々のものが知られているが、吸収性素材として、高吸収性ポリマー、綿状パルプ（フラッフパルプ）、クレープ紙などの吸収紙を主体とし、綿状パルプ内に高吸収性ポリマーを分散させる、あるいはこれらを層構造にしたものが一般に用いられている。近年の高吸収性ポリマー技術の進展に伴い、より薄型化した体液吸収性部の形成が可能となり、したがって製品の吸収部分の身体へのフィット性が向上し、モレが少なくなってきている。
【０００４】
この製品の吸収特性の改善は、需要者にとって、薄型でありながら、吸収容量が大きく、さらに長時間の着用にも耐えるさらに新たな製品開発の要求となってあらわれている。
【０００５】
【発明が解決しようとする課題】
しかし従来のものは、体液の長手方向拡散が不十分なために未吸収部分が残り、吸収体全体の効率的な利用が困難であることや、幅方向への濡れ広がり面積が小さいために所謂横漏れもしくは股漏れが発生することが問題であった。
【０００６】
この問題点を解決するための試みとして、吸収体の両側に起立カフス（一般に立体ギャザーともいわれている）をそれぞれ設け、体液を吸収体上に一時的に貯留し、吸収遅延による横漏れ防止を図ることが知られている。
【０００７】
他の試みとしては、長手方向への濡れ広がり性の良い素材を吸収体中に組み入れる工夫も提案されている。
【０００８】
さらに別の工夫としては、主吸収体の長手方向両側に補助吸収体を設け、主吸収体により吸収しきれなかった分を補助吸収体により吸収させるものも提案されている。
【０００９】
さらに他の試みとして、前述の補助吸収体と起立カフスとを組み合わせることも提案されている。
【００１０】
しかしながら、いずれの先行技術も、体液の長手方向拡散機能と横漏れ防止機能（換言すれば幅方向の拡散抑止機能）の両方を発揮しうるものではなかった。
【００１１】
そこで、本発明の主たる課題は、拡散性に顕著な方向性をもたせる、すなわちある方向に沿って体液の拡散を助長しながらも別の方向に沿っては拡散を防止または抑制できるようにすることにある。
【００１２】
【課題を解決するための手段】
上記課題を解決した本発明は次記のとおりである。
＜請求項１記載の発明＞
体液を吸収保持する体液吸収性物品であって、
高吸収性ポリマーを含みかつ体液を吸収保持すると難透液性または不透液性となる難拡散吸収体を設けた、
ことを特徴とする体液吸収性物品。
【００１３】
（作用効果）
この種の吸収性物品において、従来からゲルブロッキングといわれる現象が知られている。この現象は、吸収体に含まれる高吸収性ポリマーが体液吸収により膨潤したとき、高吸収性ポリマー相互の密着が主要因となって、吸収体が難透液性または不透液性になり、吸収体内における体液の拡散が阻害されるというものであり、従来から体液の拡散性を阻害するものとされてきた。本発明はこれを逆手にとったものであり、体液の吸収によりゲルブロッキング又はこれに近い拡散抑制状態となる吸収体を敢えて設けることにより、その周方向に沿って体液の拡散を助長・促進させながらも、横断方向においては体液の流通を堰き止めて拡散の防止または抑制が可能となるところにポイントを有するものである。
【００１４】
＜請求項２記載の発明＞
身体の肌に面する側に設けられた透液性表面層、身体の肌から遠ざかる側に設けられた防漏層、およびこれらの間に設けられた体液吸収保持層を備えた、体液吸収性物品であって、
前記吸収保持層内の所定部位に、高吸収性ポリマーを含みかつ体液を吸収保持すると難透液性または不透液性となる難拡散吸収体を設けた、
ことを特徴とする体液吸収性物品。
【００１５】
（作用効果）
一般的な体液吸収性物品は、身体の肌に面する側に設けられた透液性表面層、身体の肌から遠ざかる側に設けられた防漏層、およびこれらの間に設けられた体液吸収保持層を備えている。かかる場合に、吸収保持層内に本発明の難拡散吸収体を設けることにより、吸収保持層内において難拡散吸収体の周方向に沿って体液の拡散を助長・促進させながらも、横断方向には体液拡散の防止または抑制できるようになる。
【００１６】
＜請求項３記載の発明＞
前記難拡散吸収体が防漏層に対して液密に接合されている、請求項２記載の体液吸収性物品。
【００１７】
（作用効果）
かかる構成をとることにより、難拡散吸収体と防漏層との間を通じての体液流通を防ぐことができ、もって難拡散吸収体に沿う拡散助長作用および横断方向の拡散抑制作用を更に向上させることができる。
【００１８】
＜請求項４記載の発明＞
前記難拡散吸収体と、体液を吸収しても前記難拡散吸収体よりも優れた透液性を示す可拡散吸収体との両者が設けられている、請求項１〜３のいずれか１項に記載の体液吸収性物品。
【００１９】
（作用効果）
本請求項４記載の発明は、従来一般的に使用されてきた体液拡散性を有する可拡散吸収体と、これとは拡散機能の異なる本発明の難拡散吸収体とを併用したものである。かくして、体液を吸収するに際し、可拡散吸収体により体液拡散を伴いながら吸収保持させる一方で、その拡散方向を難拡散吸収体に沿う方向に抑制することができるようになる。このことは、例えば難拡散吸収体を物品の長手方向に沿って設けることにより、長手方向の体液拡散性を助長促進させて吸収体の有効利用面積を拡大させつつ、幅方向の体液拡散性を抑制していわゆる横漏れを防止できるといった、従来不可能であった機能を可能にできることを意味する。
【００２０】
＜請求項５記載の発明＞
前記難拡散吸収体は、少なくとも一部が体液透過性とされた細長形状の密閉袋体と、その内部に封入された高吸収性ポリマーとからなる細長形状のものとされた、請求項１〜４のいずれか１項に記載の体液吸収性物品。
【００２１】
（作用効果）
密閉袋体内に高吸収性ポリマーを所定量以上封入することにより、ポリマーの膨潤可能体積が袋体容積によって制限されるため、容易にゲルブロッキングまたはこれに近い拡散抑制状態を発生させることができる。
【００２２】
＜請求項６記載の発明＞
前記難拡散吸収体が、物品長手方向に沿い且つ物品幅方向に間隔を置いて少なくとも２条設けられている、請求項１〜５のいずれか１項に記載の体液吸収性物品。
【００２３】
（作用効果）
かかる配置を採ることによって、物品長手方向の体液拡散性を助長促進させて吸収体の有効利用面積を拡大させつつ、幅方向の体液拡散性を抑制していわゆる横漏れを防止できるようになる。
【００２４】
＜請求項７記載の発明＞
前記難拡散吸収体が、物品の長手方向両端部の少なくとも一方に、物品幅方向に沿って設けられている、請求項６記載の体液吸収性物品。
【００２５】
（作用効果）
かかる構成を採ることによって、物品長手方向の体液拡散が物品端部において抑制されるため、いわゆる背漏れや腹漏れを防止できるようになる。
【００２６】
＜請求項８記載の発明＞
前記袋体は長手方向に複数の隔室に区画されており、各隔室内に前記高吸収性ポリマーが封入されており、前記隔室相互の区画部分は前記高吸収性ポリマーの膨潤に伴って解除され、隣接隔室相互が一体となるように構成されている、請求項１〜７のいずれか１項に記載の体液吸収性物品。
【００２７】
（作用効果）
このように袋体に対して長手方向に複数の隔室を設け、各隔室内に高吸収性ポリマーを封入すると、高吸収性ポリマーは隔室内に拘束される。よって、高吸収性ポリマーを袋体内の全体に偏り無く均一に分布させることができる。しかも、高吸収性ポリマーが体液を吸収して膨潤したときには、区画の解除により隣接隔室相互が一体となるため、各隔室の高吸収性ポリマー相互も一体をなして膨潤し、一体となった両隔室内全体にわたり連続的なゲルブロッキングまたはこれに近い拡散抑制状態が発生し、体液吸収部分全体が連続的な堰を形成するようになる。
【００２８】
＜請求項９記載の発明＞
袋体の容積をＶとし、その内部に封入される高吸収性ポリマーの重量をＷとし、高吸収性ポリマーの生理食塩水飽和吸収時の密度をｋ＝１とし、高吸収性ポリマーの生理食塩水飽和吸収時の膨潤倍率をＢとしたとき、前記難拡散吸収体が下記式（１）で定まる重量Ｗの８０〜１２０％の重さの高吸収性ポリマーを含むように構成されている、請求項５〜８のいずれか１項に記載の体液吸収性物品。
Ｗ＝ｋ×Ｖ／Ｂ      ・・・（１）
【００２９】
（作用効果）
高吸収性ポリマーは、袋体の容積（当然ではあるが区画がある場合には区画部分を除いた隔室容積を意味する）に対し少なくともかかる範囲の量を封入するのが望ましい。これによって、高吸収性ポリマーがその膨張により袋体内に比較的に密に充填された状態となるため、確実にゲルブロッキングまたはこれに近い拡散抑制状態を発生させることができる。
【００３０】
【発明の実施の形態】
以下、本発明の実施の形態について添付図面を参照しつつ詳説する。
前述のように、本発明は使い捨ての紙おむつ、生理用ナプキンなどの体液吸収性物品一般に適用されるが、おむつ使用時（装着時）に背側の左右両側部を腹側の左右両側部に持ち込み、これらをテープファスナー（粘着剤テープファスナー及び面ファスナーを含む）により接合するタイプのいわゆるテープ式紙おむつに対する適用例を説明すれば、パンツ型使い捨ておむつやパッド型使い捨て吸収性物品での実施の形態や、生理用ナプキンでの実施の形態も直ちに推測できると思われるので、後二者の例についてはその説明を省略する。
【００３１】
（使い捨ておむつの基本構造例）
図１及び図２は、本発明に係る使い捨ておむつ例を示している。このものでは、現在広く採用されている基本構造、すなわち身体の肌に面する側に設けられた液透過性の不織布、あるいは孔開きフィルムなどからなり、着用者の肌に直接触れる長方形の表面層２、身体の肌から遠ざかる側に設けられたポリエチレンプラスチックフィルムなどからなる長方形の不透液性バックシートなどからなる防漏層３、および両者の間に設けられた体液吸収保持層１を有する構造が採用されている。
【００３２】
最近では、防漏層３の裏面側に、１枚の不織布または複数枚の通気・撥水性の不織布を積層固定したものからなる可撓性の外装シートを積層固定し、製品の表面を形成することが多く、本発明でもこれを採用することができる。
【００３３】
また図示のように、製品の両側部には、使用面側に突出する脚周り起立カフスＣ，Ｃをそれぞれ形成することもできる。起立カフスＣは、実質的に幅方向に連続した起立シート８と、たとえば糸ゴムからなる一本のまたは複数本の伸縮部材９とにより形成できる。図示例の起立カフスＣでは、起立シート８の固定部を製品両側部の使用面側（内側）にホットメルト接着剤などにより固着し、自由部分は固定部の幅方向中央側を起立始端として折り返すとともに、その先端部を二重に折り返し、この先端折り返し部間に糸ゴム等の伸縮部材９を包みホットメルト接着剤などにより固着している。一方、二重の起立シート８の長手方向前後端部は、ホットメルト接着剤などにより、自由部分がその先端を物品の中央側に向かう状態で物品に、具体的には表面層２外面に固定されている。かくして、伸縮部材９の収縮作用により起立カフスＣ，Ｃが製品両側部において使用面側に突出する。左右の起立カフスＣ，Ｃで囲まれる空間は、尿または軟便の閉じ込め空間を形成する。この空間内に排尿されると、その尿は透液性表面層２を通って体液吸収保持層１内に吸収されるとともに、軟便の固形分については、起立カフスＣがバリヤーとなり、その乗り越えが防止される。
【００３４】
各起立カフスＣ，Ｃを形成する起立シート８は、透液性でなく不透液性もしくは疎水性であるのが望ましい。さらに、通気もしくは蒸気透過性を有しているのが望ましい。起立シート８の間に不透液性フィルムシートを挟み込み、さらに防漏性を高めることができる。
【００３５】
図示例では、起立カフスＣ，Ｃの外側には、糸ゴム等の伸縮部材１０が長手方向に沿って伸張下に固定されており、その収縮作用によって脚周りのフィット性が向上するようになっている。また、背側の左右両側部にはテープファスナー１１が設けられており、これを腹側の左右両側部に持ち込み、接合することにより身体への装着が可能となっている。
【００３６】
なお、図示しないが、テープ式紙おむつの分野において公知の機能を発揮させる他の構成も採ることができる。また、他の種類の体液吸収性物品への適用に際しては、当該分野において公知の機能を発揮させるための構成を採ることができる。例えばパンツタイプ使い捨ておむつへの適用に際し、ウエスト周りのフィット性を高めるために、前身頃及び後身頃の長手方向端部にウエスト開口部の端縁に平行に間隔を置いて細い糸ゴムからなるウエスト伸縮部材を配置したりすることができる。
【００３７】
＜本発明のポイントとなる構成＞
さて、本発明では上述のような体液吸収性物品に対して、高吸収性ポリマーを含みかつ体液を吸収保持すると難透液性または不透液性となる難拡散吸収体４，４…を設ける。本形態のように、透液性表面層２、防漏層３および体液吸収保持層１を備えた体液吸収性物品においては、難拡散吸収体４，４…を図示のように吸収保持層１内に設けるのが好ましい。特に図示のように、体液を吸収しても難拡散吸収体４よりも優れた透液性を示す可拡散吸収体５を、吸収保持層１全体にわたり設けるとともに、その内部の所望の位置に難拡散吸収体４，４…を設けるのが好ましい。
【００３８】
難拡散吸収体４としては、例えば図４及び図５に示すように、少なくとも一部が体液透過性とされた細長形状の密閉袋体Ｂと、その内部に封入された高吸収性ポリマーＰとからなる細長形状のものを好適に使用できる。密閉袋体Ｂは、図示のように、帯状の体液透過性シートを幅方向に折り返して二重にし、端縁部相互をヒートシール等により固着することにより形成できる。この固着部がＢ１で示されている。二枚の帯状シートの周縁部相互を固着して袋状となしても良い（図示せず）。なおこの場合における端部相互の固着部Ｂ１は、高吸収性ポリマーＰの膨張力を受けても解離しない程度の接着力を有するものとする。
【００３９】
また本発明における密閉袋体Ｂは少なくとも一部が体液透過性であり、内部の高吸収性ポリマーＰに体液が供給されるものであれば良く、例えば体液供給効率を重視するときには袋体Ｂの体液受入側面の一部または全部については体液透過性シートにより形成し、その反対側面の一部または全部については非体液透過性シートまたは難体液透過性シートにより形成することができる。反対に、体液供給効率を低下させる場合には、袋体Ｂの身体側を非−若しくは難−体液透過性とし、側部や裏面側（身体側と反対側）を体液透過性とすることもできる。
【００４０】
この袋体Ｂに用いる体液透過性シートとしては、特に端縁部を接合することを考慮すると、坪量１５〜２０ｇ／ｍ2程度の繊維集合体シート、より具体的には熱可塑性合成繊維を含む坪量１５〜２０ｇ／ｍ2程度の液透過性親水性不織布（公知の、スパンボンド不織布、カードウエブを接着した不織布、メルトブローン不織布、それらの混成不織布等）や、合成パルプ（三井石油化学社製のＳＷＰなど）を含む坪量１５〜２０ｇ／ｍ2程度のティッシュペーパーなどが好ましく使用できる。かかる坪量の繊維集合体シートを用いることにより、体液透過性が良好となるとともに、ポリマーＰの膨張力に耐えてその膨張体積を抑制でき、かつコストも低く抑えることができる。
【００４１】
かかる袋体Ｂに対して封入される高吸収性ポリマーＰとしては、この種の吸収性物品において用いられる、自重のたとえば１０〜２０倍以上の体液を吸収して保持するものを使用できる。この例として、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などを挙げることができる。高吸収性ポリマーＰの吸収特性としては１０秒間で１０倍以上吸収し膨潤するものが望ましい。また特にゲルブロッキングまたはこれに近い拡散抑制状態とすることによる体液透過性の低減作用を高めるためには、膨張力の強い高吸収性ポリマーＰが好ましい。高吸収性ポリマーＰは袋体Ｂ内面に接着（粘着）させておくこともできる。ポリマーＰの形態としては図示のような粒子状のものの他、繊維状のものも用いることができる。
【００４２】
また本発明では、ゲルブロッキングまたはこれに近い拡散抑制状態とすることによる体液拡散抑制機能を発揮しうる限りにおいて高吸収性ポリマーＰに加えて、例えばこの種の吸収性物品の吸収材料として良く知られたフラッフパルプのほか、公知の添加剤・機能付与剤を加えることができる。
【００４３】
さらに袋体Ｂに高吸収性ポリマーＰを封入した場合において、ゲルブロッキングまたはこれに近い拡散抑制状態とすることによる体液拡散抑制機能を発揮させるためのポリマー使用量（重量）は、下記式（１）で定まる重量Ｗの８０〜１２０％とすることができる。特にゲルブロッキングを確実に発揮させるためには、ポリマー使用量（重量）は、下記式（１）で定まる重量Ｗの１１０〜１２０％である。
Ｗ＝ｋ×Ｖ／Ｂ      ・・・（１）
ただし、
Ｖ：袋体の容積（後述の区画がある場合には区画部分を除いた隔室容積を意味する）、
Ｗ：袋体内部に封入される高吸収性ポリマーの重量、
ｋ＝１：高吸収性ポリマーの生理食塩水飽和吸収時の密度、
Ｂ：高吸収性ポリマーの生理食塩水飽和吸収時の膨潤倍率。
【００４４】
他方、高吸収性ポリマーＰが移動可能なように袋体Ｂ内に封入されている場合、袋体Ｂの容積が大きくなると（例えば袋体の幅または長さが３ｃｍを超えると）、ゲルブロッキングを起こすほどに高吸収性ポリマーＰを使用したとしても、体液未吸収時には袋体Ｂ内においてポリマーＰが偏在してしまう可能性が高くなる。これを解決するために、複数の隔室ｒ，ｒ…を有するように袋体を区画するとともに、区画Ｂ２，Ｂ２…が高吸収性ポリマーＰの膨潤に伴って解除されるように構成するのが好ましい。  
【００４５】
この場合、区画Ｂ２，Ｂ２…を体液との接触により解除される構成とするか、体液と接触しただけでは解除されないがポリマーの膨張力によって解除される構成とするか、あるいは両機能により解除される構成とすることができる。前者の区画Ｂ２は、袋体Ｂの内面相互を体液解離性接着剤を用いて接着することにより形成できる。体液解離性接着剤としては、ポリビニルアルコール、ポリアルキレンオキサイドなどを主成分とする水分散型ホットメルト接着剤や、でんぷんのり、カルボキシメチルセルロースなどの水溶性ホットメルト接着剤を用いることができる。なお、本発明の用語「体液解離性接着剤」における「接着」とは一般的な意味での接着固定と粘着固定の両方を含むものである。後者の区画Ｂ２，Ｂ２…は、ポリマーＰの膨張力によって剥離する程度の接着力で、袋体Ｂの内面相互を接着（粘着含む）することにより形成できる。
【００４６】
このように構成することによって、体液未吸収時において、高吸収性ポリマーＰを各隔室ｒ内に拘束できるため、高吸収性ポリマーＰを袋体Ｂ内の全体に偏り無く均一に分布させることができる一方で、高吸収性ポリマーＰが体液を吸収して膨潤したときには、区画Ｂ２の解除により隣接隔室ｒ，ｒ相互が一体となるため、隔室ｒの異なる高吸収性ポリマーＰ相互も一体的に膨潤し、連続的な堰を形成することができる。
【００４７】
これに対してエアレイド（レオニヤ社製）やメガシン（日本吸収体技術）等のようにパルプ繊維中に高吸収性ポリマーを保持させたものを、袋体容積より若干小さいサイズにカットして袋体Ｂ内に封入する場合には、前述のようなポリマーＰの偏在化は生じないので袋体を区画しなくても良い。また、高吸収性ポリマーＰを袋体Ｂの内面に接着（粘着）させた場合も同様である。
【００４８】
かくして形成される難拡散吸収体４は、図１に示されるように、製品の長手方向に沿って複数列設けるのが好ましい。特に少なくとも吸収機能を付与する領域の両側部に、当該領域の長手方向全体にわたるように難拡散吸収体４をそれぞれ設けるのが好ましい。幅方向拡散作用を更に低減するためには、図示のように更に難拡散吸収体４の列数を増加させることができる。
【００４９】
難拡散吸収体４は、好適には図示のように防漏層３に対して液密に接合する（液体が接合部分を横断通過しないように接合する）。この接合は、体液を通さず且つ液体により溶解しないホットメルト接着剤等を用いて形成できる。図２中にはこの接合部を符号６として示してある。かくして、難拡散吸収体４と防漏層３との間を通じての体液流通を防ぐことができる。よって、この作用効果を奏するのであれば、難拡散吸収体４は防漏層３に対して図示例のように直接接合しても良いし、他の部材を介して間接的に接合しても良い。またこの接合範囲は、難拡散吸収体４により拡散を抑制または防止を望む部位全体にわたり、連続線状または連続面状に接合するのが望ましいが、間欠的に接合することもできる。
【００５０】
他方、本実施形態のように難拡散吸収体４と可拡散吸収体５とを併用する場合、可拡散吸収体５としては、本物品の技術分野で公知のもの、例えば従来から良く使用されているフラッフパルプと高吸収性ポリマーとの混合物、またはこれらの各々を層状に積層してなる層状体を採用できる。
【００５１】
かくして構成された製品において、図３に示すように、吸収体４，５と対応する位置に体液の排泄があると、体液は表面層２を通過し、吸収保持層１に到達する。吸収保持層１の下側には体液不透過性の防漏層３が存在するため、体液は吸収保持層１内において拡散される。そしてこの吸収保持層１内の体液は、可拡散吸収体５により体液拡散を伴いながら吸収保持されるとともに、難拡散吸収体４によっても吸収される。この際、難拡散吸収体４内では高吸収性ポリマーＰが袋体Ｂの容積の制限内で膨張し、これに伴い袋体Ｂも膨張して堰状をなし、しかもその内部では主にポリマー相互の密着により体液の拡散が抑制される状態が発生する。よって、難拡散吸収体４の延在方向と直行する横断方向への体液の拡散が防止され、その分だけ難拡散吸収体４の延在方向に沿っての体液の拡散が助長される。したがって、本実施形態の場合、製品長手方向の体液拡散性が助長促進されて吸収体４，５の有効利用面積が拡大されるとともに、幅方向の体液拡散性が抑制されいわゆる横漏れが防止されるようになる。
【００５２】
特に、内部に高吸収性ポリマーＰが封入された複数の隔室ｒ，ｒ…を有する難拡散吸収体４を用いた場合には、体液を吸収していない状態では、高吸収性ポリマーＰは隔室ｒ，ｒ…内に拘束される。よって、高吸収性ポリマーＰを袋体Ｂ内の全体に偏り無く均一に分布させることができる。しかも、高吸収性ポリマーＰが体液を吸収して膨潤したときには、その膨張力や接着剤の溶解によって区画部分Ｂ２のシート相互が解離し、隣接隔室相互ｒ，ｒが一体となるため、各隔室ｒの高吸収性ポリマーＰ相互も一体をなして膨潤し、一体となった隔室ｒ内全体にわたりゲルブロッキングまたはこれに近い拡散抑制状態が発生する。よって、体液吸収部分全体が連続的な堰を形成するようになる。
【００５３】
さらに図示形態のように難拡散吸収体４が防漏層３に対して液密に接合されていると、難拡散吸収体４と防漏層３との間を通じての体液流通を防ぐことができ、もって難拡散吸収体４に沿う拡散助長作用および横断方向の拡散抑制作用を更に向上させることができる。
【００５４】
＜平面配置形態の例＞
本発明に含まれる、難拡散吸収体４の平面形態（物品を平面状態としたときの平面配置形態）を多数例示すると、図６〜図８に示すようになる。もちろん、本発明の範囲内において他の形態をとることもできる。
【００５５】
（線状配置形態）
図６は、難拡散吸収体４を線状に配置する形態の例である。同図（ａ）は、前述した図１〜５に示す形態であり、難拡散吸収体４を製品長手方向に沿って四列直線状に配置したものである。これを基本として、同図（ｂ）に示すように長方形をなす可拡散吸収体５内の両端部にのみ難拡散吸収体４，４を配置することもできる。また、同図（ｃ）に示すように可拡散吸収体５の両脇（外側）に難拡散吸収体４，４を配置することもできる。また、同図（ｄ）に示すように難拡散吸収体４，４…の長さを短くして、排泄予定領域のみに集中的に設けることもできる。また、同図（ｅ）に示すように、中間の難拡散吸収体４，４の長さを両側部４，４のものより短くしても、難拡散吸収体４，４…を排泄予定領域に集中させることができる。このように本発明では、難拡散吸収体４，４…を複数設ける場合にはサイズを異ならしめることができる。この場合、排泄予定領域においても他の部位（製品長手方向両端部）においても、幅方向拡散抑制作用が奏せられるが、前者の部位のほうがより抑制作用が強くなる。
【００５６】
難拡散吸収体４は、上述のように直線状に配置することのほか、同図（ｆ）に示すようにジグザグ状に配置したり、同図（ｇ）に示すように波状に配置したり、同図（ｈ）に示すように弧状に配置したり、同図（ｉ）に示すように屈曲線状（く字状若しくはへ字状）に配置したりすることもできる。
【００５７】
さらに難拡散吸収体４は、同図（ｊ）に示すように、製品幅方向に沿って配置することもでき、いうまでもないが長さを適宜調節したり形状をジグザグ状等に適宜変更したりすることができる。なお、この場合製品長手方向の拡散が抑制または防止される。よって同図に示すようにおむつの場合には腹側または背中側からの漏れが防止される。また、製品長手方向の拡散が抑制等がなされる分だけ製品幅方向の拡散が助長される。
【００５８】
（取り囲み配置形態）
難拡散吸収体４は、図７（ｋ）〜（ｏ）に示すように特定部位を取り囲むように配置することもできる。特に同図（ｋ）および（ｌ）に示すものは体液の吸収・拡散が想定される部分の周囲を環状に採り囲む形態である。取り囲み形状は適宜定めることができ、多角形、円形、楕円形、瓢箪状（長手方向中間部に幅の狭いくびれがある形状）等とすることができる。これに対して、同図（ｍ）及び（ｎ）に示すように、コ字状に難拡散吸収体４を配置して所定方向のみを開放した取り囲み形態とすることもできる。これらの配置形態によれば、体液は難拡散吸収体４により取り囲まれる領域内に保持される。
【００５９】
また、同図（ｍ）と（ｎ）との対比からもわかるように、局所部分を取り囲む難拡散吸収体４，４…を多数配列して設けることもできる。
【００６０】
（交差配置形態）
難拡散吸収体４は、図７（ｏ）に示すように交差する形態で配置しても良い。この場合、複数本の細長状の難拡散吸収体４，４…を重ねる、編む等しても良いが、一体的な吸収体として形成しても良い。具体的な難拡散吸収体４の配置としては、図７（ｏ）に示すように碁盤目状に配置しても良いし、図示しないがハニカム状等に配置しても良い。編んでも良いし、一体的に袋体を形成しても良い。
【００６１】
（組み合わせ配置形態）
図８は、上記の各平面配置形態を適宜選択して組み合わせたり、各形態に含まれる部分的な形状を他の形態に組み入れたりすることができる。図８（ｐ）は、図６（ａ）の基本形態に対して、中間の一対の難拡散吸収体４，４を背側に延在させ、その端部相互を接続し、幅方向中央にコ字状取り囲み形態の難拡散吸収体４，４を形成したものである。また、図８（ｑ）は吸収拡散予定部分を取り囲む環状難拡散吸収体４，４…の内側に長手方向に沿って線状の難拡散吸収体４，４を設けたものである。図８（ｒ）は、図６（ａ）に示す製品長手方向に沿う難拡散吸収体４，４…を有する基本形態に対して、その製品長手方向両脇に製品幅方向に沿う線状難拡散吸収体４，４をそれぞれ設けたものである。さらにまた、図８（ｓ）は、製品両側に長手方向に沿う線状難拡散吸収体４，４をそれぞれ設けるとともに、それらの間に製品幅方向に沿う線状難拡散吸収体４，４…を多数列設けたものである。
【００６２】
（難拡散吸収体の連続性）
図６〜図８中の難拡散吸収体４が連続する部分は、複数の難拡散吸収体により構成しても良い。この場合、難拡散吸収体相互を接続し連続性が保たれるようにするのが望ましい。
【００６３】
＜断面配置形態の例＞
他方、難拡散吸収体４は、図９（ａ）にも示すように可拡散吸収体５の内部に設けるのが好ましいが、同図（ｂ）に示すように一部（図示例では両側部）の難拡散吸収体４，４を可拡散吸収体５の外部に設けることもできる。また同図（ｂ）の例では可拡散吸収体５の上（図示例では表面層の上）に難拡散吸収体４，４を配置しているが、同図（ｃ）に示すように、難拡散吸収体４，４を可拡散吸収体５の両脇に配置することもできる。図示しないが、可拡散吸収体５の下（図示例でいえば可拡散吸収体５と防漏層３との間に難拡散吸収体４を配置したり、表面層２と可拡散吸収体５との間に配置したりすることもできる。
【００６４】
また同図（ｄ）に示すように難拡散吸収体４，４を可拡散吸収体５の外部にのみ設けることができる。同図（ｄ）の例は同図（ｂ）の例における可拡散吸収体５内の難拡散吸収体４，４を省略した形態である。また、本発明の難拡散吸収体４の堰き止め機能は起立カフスＣの機能と重複するものであるので、同図（ｅ）に示すように起立カフスＣ，Ｃに替えて製品両側に難拡散吸収体４，４を設けることもできる。
【００６５】
＜その他＞
（イ）本発明においては、可拡散吸収体を設けずに、難拡散吸収体のみを設けることもできる。
【００６６】
（ロ）本発明の難拡散吸収体は、体液を吸収保持するとゲルブロッキングが発生するか或いはこれに近い拡散抑制状態となることにより難透液性または不透液性となりさえすれば良く、上記例のように袋体に高吸収性ポリマーを封入したものでなくても、例えばフラッフパルプと高吸収性ポリマーとからなる従来の吸収体において高吸収性ポリマーの配合量を増加させたものでも良い。
【００６７】
（ハ）本発明において難拡散吸収体と可拡散吸収体とを併用する場合、両者は別部材となっている必要はない。したがって、例えばフラッフパルプとＳＡＰとを混合させて吸収体を製造するにあたり高吸収性ポリマーの高含有部分とそうでない低含有部分をそれぞれ形成し、前者が難拡散吸収体部分となり後者が可拡散吸収体部分となった一体的な吸収体を使用することもできる。
【００６８】
（ニ）本発明が対象とする体液吸収性物品としては、生理用ナプキン、失禁者用おむつ、ベビー用おむつ、成人用おむつなどを挙げることができる。形態としては、パッドタイプ、テープ止着タイプ、パンツタイプのものを挙げることができる。
【００６９】
【発明の効果】
以上のとおり本発明によれば、ある方向に沿って体液の拡散を助長しながらも別の方向に沿っては拡散を防止または抑制できる等の利点がもたらされる。
【図面の簡単な説明】
【図１】
本発明に係る使い捨て紙おむつ例の展開状態平面図である。
【図２】
図１のII-II断面図である。
【図３】
体液吸収状態における図１のII-II断面図である。
【図４】
本発明に係る難拡散吸収体例の平面図である。
【図５】
図４のV-V断面図である。
【図６】
難拡散吸収体の各種配置例を示す図である。
【図７】
難拡散吸収体の各種配置例を示す図である。
【図８】
難拡散吸収体の各種配置例を示す図である。
【図９】
難拡散吸収体の各種配置例を示す図である。
【符号の説明】
１…吸収保持層、２…表面層、３…防漏層、４…難拡散吸収体、５…可拡散吸収体、Ｂ…袋体、Ｐ…高吸収性ポリマー。